(57)【要約】【課題】  スラスト荷重に対する負荷能力を向上させることができ、円筒ころの形状管理も容易に行うことができる円筒ころ軸受を提供する。【解決手段】  内輪１と、外輪２と、複数の円筒ころ５とを備える。内輪１および外輪２は、いずれか片方または両方が、鍔を有する。円筒ころ５の外径寸法をＤa としたとき、円筒ころ５の端面における外径縁からころ軸心側へ及ぶ径寸法０．１２Ｄa 〜０．２０Ｄa の範囲の面域を、ころ軸心に垂直な平面に対して０．２５°〜１°の傾斜角度θr をなすテーパー状のクラウニング加工部１０とする。【選択図】      図２
2010007678.tif 000002
【特許請求の範囲】
【請求項１】
内輪および外輪と、これら内外輪の軌道面の間に転動自在に介在させた複数の円筒ころとを備え、前記内輪および外輪のいずれか一方または両方が、軸方向の両側または片側に鍔部を有する円筒ころ軸受において、
前記円筒ころの外径寸法をＤa としたとき、円筒ころの端面における外径縁からころ軸心側へ及ぶ径寸法０．１２Ｄa 〜０．２０Ｄa の範囲の面域を、ころ軸心に垂直な平面に対して０．２５°〜１°の傾斜角度をなすテーパー状のクラウニング加工部としたことを特徴とする円筒ころ軸受。
【請求項２】
請求項１において、前記内輪が、一端部に鍔部を有し外周に軌道面を形成した内輪軌道輪、およびこの内輪軌道輪の他端部に隣接して配置される鍔輪からなり、前記外輪が、両端部に鍔部を有し内周に軌道面を形成した一体の部品からなり、前記内輪軌道輪の鍔部の内側面の内輪軸心に垂直な平面に対して傾斜する鍔角度をθi 、前記外輪の鍔部の内側面の外輪軸心に垂直な平面に対して傾斜する鍔角度をθo 、前記鍔輪における前記内輪軌道輪の軌道面よりも外径側に突出する鍔部の内側面の鍔輪軸心に垂直な平面に対して傾斜する鍔角度をθ1 、前記円筒ころのテーパー状クラウニング加工部の傾斜角度をθr としたとき、これらの各角度を、
（θi ＋θo ）−２・θr ＝−１．２５°〜０．２５
および、
（θ1 ＋θo ）−２・θr ＝−１．２５°〜０．２５°
の各式が成り立つように設定した円筒ころ軸受。
【請求項３】
請求項２において、前記円筒ころの端面における前記テーパー状クラウニング加工部の振れを０．００３mm以下とした円筒ころ軸受。
【請求項４】
請求項３において、前記円筒ころの端面における前記テーパー状クラウニング加工部を除く平坦部の端面振れを０．００２mm以下とした円筒ころ軸受。
【請求項５】
請求項１ないし請求項４のいずれか１項において、前記円筒ころの外径面をクラウニング加工部とした円筒ころ軸受。
【請求項６】
請求項１ないし請求項５のいずれか１項において、前記円筒ころの端面における前記テーパー状クラウニング加工部は、ころ外径側に続く複数段のテーパー面部からなり、各段のテーパー面部の傾斜角度をころ外径側に近いものほど大きくした円筒ころ軸受。
【請求項７】
請求項６において、前記テーパー状クラウニング加工部におけるころ内径側に最も近いテーパー面部の傾斜角度を、請求項２に記載の各式が成り立つ角度θr とした円筒ころ軸受。
【請求項８】
請求項６または請求項７において、前記テーパー状クラウニング加工部における隣り合うテーパー面部の傾斜角度の差を１°以下とした円筒ころ軸受。
【請求項９】
請求項６ないし請求項８のいずれか１項において、前記テーパー状クラウニング加工部におけるころ内径側に最も近いテーパー面部の振れを０．００３mm以下とした円筒ころ軸受。
【発明の詳細な説明】
【技術分野】
【０００１】
この発明は、高速回転、高スラスト負荷能力を必要とする産業機械等に用いられる円筒ころ軸受に関する。
【背景技術】
【０００２】
円筒ころ軸受のスラスト荷重に対する負荷能力を向上させる方法として、従来より各種の技術が提案されている。
例えば、特許文献１に開示の円筒ころ軸受では、スラスト荷重が負荷されたときのエッジロードを抑制するために、円筒ころの端面に断面外形が指数関数で表される曲線形状のクラウニング加工部を設けている。また、特許文献２に開示の円筒ころ軸受でも、円筒ころの端面に同様のクラウニング加工部を設けている。
【０００３】
上記したように、円筒ころの端面に断面外形が理想的な曲線形状となるクラウニング加工部を設けることは、スラスト荷重の負荷時に鍔面と円筒ころとの接触面圧を接触部内で平準化するうえで有効である。
【特許文献１】特開２００４−３５３７４４号公報
【特許文献２】特開２００２−１９５２７２号公報
【発明の開示】
【発明が解決しようとする課題】
【０００４】
このように、上記した従来の技術では、鍔面と円筒ころの間に理想的な接触状態を得るのには有効であるが、円筒ころの端面の断面外形を曲線形状とすることから、その曲線形状の管理面において工数増となる。すなわち、前記曲線形状を管理するには、市販の形状測定器を用いるか、これに代わるものとして、例えば図９（Ａ）における円筒ころ２５のＢ部を拡大して示す図９（Ｂ）のように、ころ端面におけるころ外径縁位置からころ軸心側に偏った各位置Ｘ１，Ｘ２における軸方向へのドロップ量Ｙ１，Ｙ２を測定することになるなど、複数箇所での測定が必要となる。
【０００５】
この発明の目的は、スラスト荷重に対する負荷能力を向上させることができ、円筒ころの形状管理も容易に行うことができる円筒ころ軸受を提供することである。
【課題を解決するための手段】
【０００６】
この発明の円筒ころ軸受は、内輪および外輪と、これら内外輪の軌道面の間に転動自在に介在させた複数の円筒ころとを備え、前記内輪および外輪のいずれか一方または両方が、軸方向の両側または片側に鍔部を有する円筒ころ軸受において、
前記円筒ころの外径寸法をＤa としたとき、円筒ころの端面における外径縁からころ軸心側へ及ぶ径寸法０．１２Ｄa 〜０．２０Ｄa の範囲の面域を、ころ軸心に垂直な平面に対して０．２５°〜１°の傾斜角度をなすテーパー状のクラウニング加工部としたことを特徴とする。
この構成によると、円筒ころの端面における上記面域に、上記角度のテーパー状クラウニング加工部を設けたため、スラスト荷重に対する負荷能力を向上させることができる。また、クラウニング加工部はテーパー状であるため、円筒ころの形状管理も容易に行うことができる。
【０００７】
この発明において、前記内輪が、一端部に鍔部を有し外周に軌道面を形成した内輪軌道輪、およびこの内輪軌道輪の他端部に隣接して配置される鍔輪からなり、前記外輪が、両端部に鍔部を有し内周に軌道面を形成した一体の部品からなり、前記内輪軌道輪の鍔部の内側面の内輪軸心に垂直な平面に対して傾斜する鍔角度をθi 、前記外輪の鍔部の内側面の外輪軸心に垂直な平面に対して傾斜する鍔角度をθo 、前記鍔輪における前記内輪軌道輪の軌道面よりも外径側に突出する鍔部の内側面の鍔輪軸心に垂直な平面に対して傾斜する鍔角度をθ1 、前記円筒ころのテーパー状クラウニング加工部の傾斜角度をθr としたとき、これらの各角度を、
（θi ＋θo ）−２・θr ＝−１．２５°〜０．２５°
および、
（θ1 ＋θo ）−２・θr ＝−１．２５°〜０．２５°の各式が成り立つように設定しても良い。
この構成の場合、前記各傾斜角度間に差があっても、スラスト荷重に対する負荷能力を向上させるうえで十分な効果を上げることができる。
【０００８】
この発明において、前記円筒ころの端面における前記テーパー状クラウニング加工部の振れを０．００３mm以下としても良い。この構成の場合、テーパー状クラウニング加工部の寸法誤差によるスラスト荷重の負荷能力阻害を抑制するうえで効果がある。
【０００９】
この発明において、前記円筒ころの端面における前記テーパー状クラウニング加工部を除く平坦部の端面振れを０．００２mm以下としても良い。この構成の場合、加工時におけるテーパー状クラウニング加工部の振れ精度の確保、および回転時における円滑な接触状態を損なう要因をなくすうえで効果がある。なお、テーパー状クラウニング加工部の振れはJIS B 1506:2005による端面振れの測定方法と同じ要領で測定されたものである。
【００１０】
この発明において、前記円筒ころの外径面をクラウニング加工部としても良い。
この発明の円筒ころ軸受では、円筒ころの端面にテーパー状クラウニング加工部を設けたことにより駆動時の温度上昇を抑制することできることから、スラスト荷重の負荷能力の小さい従来品であれば軸受寸法を大きくしなければならないような応用面に対しても、軸受寸法を小さくして対応できる。しかし、スラスト荷重の負荷能力を確保できる程度まで軸受寸法を小さくした場合には、ラジアル荷重の負荷能力にも配慮が必要となる。そこで、円筒ころの外径面にもクラウニング加工部を設けており、これによりラジアル荷重の負荷能力も確保することができる。
【００１１】
この発明において、前記円筒ころの端面における前記テーパー状クラウニング加工部は、ころ外径側に続く複数段のテーパー面部からなり、各段のテーパー面部の傾斜角度をころ外径側に近いものほど大きくしても良い。
このように、複数段のテーパー面部でテーパー状クラウニング加工部を形成することにより、テーパー状クラウニング加工部と、その外径側に続く面取部との境界での局部的なエッジ応力の抑制を向上させることができる。
【００１２】
この発明において、前記テーパー状クラウニング加工部におけるころ内径側に最も近いテーパー面部の傾斜角度を、先の発明の各式が成り立つ角度θr としても良い。
【００１３】
この発明において、前記テーパー状クラウニング加工部における隣り合うテーパー面部の傾斜角度の差を１°以下としても良い。
複数段のテーパー面部でテーパー状クラウニング加工部を形成した場合、隣り合うテーパー面部の境界でのエッジ応力の発生が懸念されるので、隣り合うテーパー面部の傾斜角度の差は１°程度以内としておくのが良い。
【００１４】
この発明において、前記テーパー状クラウニング加工部におけるころ内径側に最も近いテーパー面部の振れを０．００３mm以下としても良い。
【発明の効果】
【００１５】
この発明の円筒ころ軸受は、内輪および外輪と、これら内外輪の軌道面の間に転動自在に介在させた複数の円筒ころとを備え、前記内輪および外輪のいずれか一方または両方が、軸方向の両側または片側に鍔部を有する円筒ころ軸受において、前記円筒ころの外径寸法をＤa としたとき、円筒ころの端面における外径縁からころ軸心側へ及ぶ径寸法０．１２Ｄa 〜０．２０Ｄa の範囲の面域を、ころ軸心に垂直な平面に対して０．２５°〜１°の傾斜角度をなすテーパー状のクラウニング加工部としたため、スラスト荷重に対する負荷能力を向上させることができ、円筒ころの形状管理も容易に行うことができる。
【発明を実施するための最良の形態】
【００１６】
この発明の一実施形態を図１ないし図８と共に説明する。この円筒ころ軸受は、両端部に鍔部７ａ，８ａを有し外周に軌道面３を形成した内輪１と、両端部に鍔部  ａ，ａを有し内周に軌道面４を形成した外輪２と、これら内輪１の軌道面３と外輪２の軌道面４の間に転動自在に介在させた複数の円筒ころ５と、これら円筒ころ５を円周方向等配位置に案内する保持器６とを備える。
【００１７】
内輪１は、一端部に鍔部７ａを有し外周に軌道面３を形成した内輪軌道輪７と、この内輪軌道輪７の他端部に隣接して配置される鍔輪８とでなる。内輪軌道輪７の鍔部７ａでは、その前記円筒ころ５の一端面に対向する内側面７ａａが、円筒ころ５を軸方向に案内する鍔面とされている。鍔輪８の前記内輪軌道輪７の軌道面３よりも外径側に突出する鍔部８ａでは、その前記円筒ころ５の他端面に対向する内側面８ａａが、円筒ころ５を軸方向に案内する鍔面とされている。
外輪２は、両端部に鍔部９ａ，９ａを有し内周に軌道面４を形成した一体の部品からなる。外輪２の各鍔部９ａでは、その前記円筒ころ５の端面に対向する各内側面９ａａが、円筒ころ５を軸方向に案内する鍔面とされている。
【００１８】
円筒ころ５の外径寸法をＤa としたとき、図２（Ｂ）に拡大して示すように、円筒ころ５の端面における外径縁からころ軸心Ｏ側へ及ぶ径寸法０．１２Ｄa 〜０．２０Ｄa （好ましくは０．１５±０．０２Ｄa ）の範囲の面域には、ころ軸心Ｏに垂直な平面に対して０．２５°〜１°（好ましくは０．２５°〜０．７５°）の傾斜角度θr をなすテーパー状のクラウニング加工部１０が設けられている。クラウニング加工部１０の外径側には面取部１１が続き、この面取部１１から外径面に続いている。面取部１１は、テーパ状であっても、断面円弧状であってもよい。
【００１９】
前記外輪２の鍔部９ａにおける鍔面となる内側面９ａａは、図３（Ａ）に拡大断面図で示すように、外輪軸心に垂直な平面に対して僅かな傾斜角度θo となるテーパー状とされている。前記鍔輪８の鍔部８ａにおける鍔面となる内側面８ａａも、図３（Ｂ）に拡大断面図で示すように、鍔輪軸心に垂直な平面に対して僅かな傾斜角度θ1 となるテーパー状とされている。また、内輪軌道輪７の鍔部７ａにおける鍔面となる内側面７ａａも、図３（Ｃ）に拡大断面図で示すように、内輪軸心に垂直な平面に対して僅かな傾斜角度θi となるテーパー状とされている。この場合、これらの傾斜角度θo ，θ1 ，θi は、０．１５°〜０．８５°（好ましくは０．２５°〜０．６°）の範囲内の値に設定されている。
【００２０】
また、前記各鍔部７ａ，８ａ，９ａの軌道輪３，４から径方向に突出する突出高さは、円筒ころ５の外径寸法をＤa としたとき、０．１６Ｄa 〜０．２５Ｄa の範囲内の値に設定されている。
【００２１】
また、この実施形態では、前記円筒ころ５の端面におけるテーパー状クラウニング加工部１０の公差は０．００３mm以下に設定されている。また、円筒ころ５の端面におけるテーパー状クラウニング加工部１０を除く平坦部１２の公差は０．００２mm以下に設定されている。
【００２２】
図４は、この実施形態の円筒ころ軸受として、形状寸法や傾斜角度が上記各値の範囲内に入る複数のサンプルを作製し、これらを従来品と比較して温度上昇試験を行なった結果を示すグラフである。この試験においては、以下の試験条件、
内径φ３５mm、外径φ８０mm、幅２１mmのサイズの軸受
ラジアル荷重：５ＫＮ
スラスト荷重：２ＫＮ
潤滑油：タービン油
回転速度（内輪回転）：２０００〜１００００min -1
のもとで、各回転速度毎の軸受温度上昇値を記録した。
【００２３】
この試験結果から、円筒ころ５の端面にテーパー状クラウニング加工部１０を設けたこの実施形態の円筒ころ軸受では、従来品に比べて温度上昇が低下していることが認められた。つまり、この実施形態の円筒ころ軸受によると、スラスト荷重に対する負荷能力を向上させることができる。
円筒ころ５の端面を理想的な曲面クラウニングに加工することは、理論的には有効であると考えられるが、上記した試験結果からも明らかなように、実際の円筒ころ軸受では、この実施形態のようにテーパー状クラウニング加工部１０で代用しても、十分にスラスト荷重に対する負荷能力を向上させることができる。また、テーパー状クラウニング加工部１０の傾斜角度θr に多少の幅があっても、一定の限度内であれば大きな性能差が出ないことも上記試験結果から確認された。
【００２４】
実施形態のようにテーパー状クラウニング加工部１０を円筒ころ５の端面に設ける場合でも、実際の加工上で狙った寸法に対してピンポイントで加工するのは、量産を考慮すると非常に困難を伴う。そこで、上記試験では、テーパー状クラウニング加工部１０の傾斜角度θr を任意に設定して、その効果の違いについて確認を行なっている。
【００２５】
前記各鍔部７ａ，８ａ，９ａと円筒ころ５の端面との間の接触面圧を均等化するためには、スキューやチルトを考慮しないとすれば、各鍔部７ａ，８ａ，９ａの鍔面である内側面７ａａ，８ａａ，９ａａの傾斜角度θi ，θ1 ，θo をテーパー状クラウニング加工部１０の傾斜角度θr と等しくすることが望ましい。上記試験では、外輪鍔部９ａでの傾斜角度θo ≒０．２５°、内輪鍔部７ａでの傾斜角度θi ≒０．５°、テーパー状クラウニング加工部１０の傾斜角度θr を０．２５°〜１°とした各傾斜角度が互いに異なるサンプルを用いて、その場合の効果への影響についても確認を行なった。その試験結果によると、この場合にも従来品より温度上昇が低下することが確認された。
【００２６】
また、上記試験においては、各鍔部７ａ，８ａ，９ａの鍔面と円筒ころ５の端面との間の接触状況も確認したが、各鍔部７ａ，８ａ，９ａの鍔面の傾斜角度θi ，θ1 ，θo とテーパー状クラウニング加工部１０の傾斜角度θr から、形状的に接触が予想される箇所以外にも接触痕が認められた。このことから、内輪鍔部７ａの鍔面の傾斜角度θi 、外輪鍔部９ａの鍔面の傾斜角度θo 、テーパー状クラウニング加工部１０の傾斜角度θr が多少異なっていても、円筒ころ５はある程度姿勢を変えた状態で負荷荷重を受けながら回転することができるものと考えられる。
【００２７】
円筒ころ軸受における円筒ころ５がどのような位置で回転するかについては、回転速度、荷重、あるいは潤滑剤の粘度、保持器６の形式や材料によって左右されると考えられるので、正確に求めることは困難である。しかし、上記した数値範囲に限定したこの実施形態の円筒ころ軸受であれば、従来品に比べてスラスト荷重に対する負荷能力を向上させることができる。この場合に、内輪鍔部７ａの鍔面の傾斜角度θi ，外輪鍔部９ａの鍔面の傾斜角度θo 、およびテーパー状クラウニング加工部１０の傾斜角度θr の間に、
（θi ＋θo ）− 2・θr ＝−１．２５°〜０．２５°    ……（１）
の関係が成立する範囲であれば、前記各傾斜角度間に差があっても十分な効果を上げることができる。
なお、上式（１）の左辺の値が、−１．２５°よりも小さい場合は、ころと鍔部の内側面７ａａ、８ａａ、９ａａの軌道面から最も離れた位置である７ｂｂ、８ｂｂ、９ｂｂの接触が顕著となり、この部分での面圧が過大となって焼付きが生じる恐れがある。
０．２５を超える場合は、ころと鍔部の内側面７ａａ、８ａａ、９ａａの軌道面に最も近い位置である７ｃｃ、８ｃｃ、９ｃｃの接触が顕著となり、この部分での面圧が過大となって焼付きが生じる恐れがある。
また、鍔輪鍔部８ａの鍔面の傾斜角度θ1 、外輪鍔部９ａの鍔面の傾斜角度θo 、およびテーパー状クラウニング加工部１０の傾斜角度θr の間についても、
（θ1 ＋θo ）− 2・θr ＝−１．２５°〜０．２５°    ……（１）
の関係が成立する範囲であれば、前記各傾斜角度間に差があっても十分な効果を上げることができる。
【００２８】
以上の説明では、円筒ころ５の端面のテーパー状クラウニング加工部１０が図２（Ｂ）に示す形状の場合を例示したが、図５に示すように、ころ外径側に続く２段のテーパー面部１０ａ，１０ｂからなるテーパー状クラウニング加工部１０としても良い。この場合、ころ外径側に近いテーパー面部１０ｂの傾斜角度θr1が、ころ外径側から遠いテーパー面部１０ａの傾斜角度θr より大きくなるように（θr1＞θr ）されている。
【００２９】
このように、２段のテーパー面部１０ａ，１０ｂでテーパー状クラウニング加工部１０を形成することにより、テーパー状クラウニング加工部１０と、その外径側に続く面取部１１との境界での局部的なエッジ応力の抑制をさらに向上させることができる。なお、前記テーパー面部は３段以上の複数段とし、各段のテーパー面部の傾斜角度をころ外径側に近いものほど大きくしても良い。
【００３０】
このように複数段のテーパー面部でテーパー状クラウニング加工部１０を形成した場合、隣り合うテーパー面部の境界でのエッジ応力の発生が懸念される。このため、隣り合うテーパー面部の傾斜角度の差は１°程度以内としておくのが良い。すなわち、例えば２段のテーパー面部１０ａ，１０ｂでテーパー状クラウニング加工部１０を形成した図５の例の場合では、
θr1−θr ≦１°    ……（３）
とするのが良い。また、この場合、テーパー状クラウニング加工部１０におけるころ内径側に最も近いテーパー面部１０ａの傾斜角度を、先の各式（１），（２）が成り立つ傾斜角度θr とするのが良い。
【００３１】
この円筒ころ軸受では、円筒ころ５の端面にテーパー状クラウニング加工部１０を設けたことにより駆動時の温度上昇を抑制することできることから、スラスト荷重の負荷能力の小さい従来品であれば軸受寸法を大きくしなければならないような応用面に対しても、軸受寸法を小さくして対応できる。しかし、スラスト荷重の負荷能力を確保できる程度まで軸受寸法を小さくした場合には、ラジアル荷重の負荷能力にも配慮が必要となる。そこで、ラジアル荷重の負荷能力を確保するために、上記した実施形態の円筒ころ軸受において、円筒ころ５の外径面における両端部に、例えば断面外形が単調なＲ形状のクラウニング加工部や、対数曲線のクラウニング加工部（特開２００５−１５５７６３号公報参照）を同時に設けておくことが望ましい。
【００３２】
なお、この実施形態の円筒ころ軸受とは異なるが、円筒ころの端面に断面外形が曲線状のクラウニング加工部を設けた円筒ころ軸受の場合にも、上記したように円筒ころの外径面に同時にクラウニング加工部を設けることにより、スラスト荷重の負荷能力とラジアル荷重の負荷能力を併せて確保できる。
【００３３】
上記したように、円筒ころ軸受では、各鍔部７ａ，８ａ，９ａの鍔面と円筒ころ５の端面とが接触することでスラスト荷重を負荷することができるが、その接触部での形状適正化の他に、軸受内のころ長さの相互差やころ端面の寸法誤差も重要な要素となる。
上記した試験に用いたサンプルを確認したところ、固定輪である外輪２における鍔部９ａの鍔面の接触痕は円周上で均一ではなく、ラジアル荷重による負荷域を略中心として接触痕が顕著になっていることが判った。このことから、スラスト荷重を実際に負荷している円筒ころ５は、ラジアル負荷の負荷域方向に存在する円筒ころ５と考えられる。
【００３４】
図６（Ａ），（Ｂ）には、円筒ころ軸受において、スラスト荷重を負荷する円筒ころ５と、ラジアル荷重方向とは１８０°の位相差をなす非負荷域の円筒ころ５との状態を表した正面図と断面図とを示している。非負荷域には、図６（Ａ）に符号Ｃ１，Ｃ２で示すようなラジアル内部すきまが存在するので、これにより円筒ころ５はチルトすることができる。この場合、外輪鍔部９ａの鍔面と内輪鍔部７ａの鍔面の間の軸方向距離よりも、円筒ころ５の両端面の接触部間の軸方向長さが短くなるため、スラスト荷重が負荷しなくなる。したがって、１つの円筒ころ５は、公転によって負荷域と非負荷域を繰り返し通過することになる。
【００３５】
その結果、円筒ころ軸受において、１つの円筒ころ５の軸長が他の円筒ころ５よりも長い場合、負荷域におけるスラスト荷重の負荷がその１つの円筒ころ５に集中してしまう事態が生じ得る。また、軸長の長い円筒ころ５が非負荷域から負荷域に急激に進入することにより、内輪軌道輪７と外輪２が軸方向に急激に広げられる事態や、その反力により円筒ころ５の姿勢が不安定となって振動を引き起こす事態も生じ得る。
【００３６】
このような観点から、１つの円筒ころ軸受内における各円筒ころ５間での軸長の相互差は適正な範囲内の値に留めておくことが望ましい。円筒ころの軸長の相互差についての配慮の必要性については、特許文献（特開２００２−８９５４８号公報）にも開示されている。
【００３７】
上記説明では、円筒ころの軸長の相互差への配慮の必要性について言及したが、円筒ころの精度に関する項目には、このほかにＪＩＳ  Ｂ  １５０６で規定されているころ端面振れがある。この端面振れを、ＪＩＳ  Ｂ  １５０６ではころ端面部におけるころラジアル平面に対する端面の狂いと規定している。この振れ精度が、この実施形態の円筒ころ軸受におけるテーパー状クラウニング加工部１０での振れ精度によるものとみなした場合、その振れ精度が大きくなり過ぎると、円筒ころの軸長の相互差が大きい場合と同様の事態が生じる。
【００３８】
例えば、この実施形態の円筒ころ軸受の円筒ころ５が、図７や図８に示すようにころ端面に大きな寸法誤差を有する形状に加工された場合、１つの円筒ころ５において、内輪鍔部７ａと外輪鍔部９ａで挟まれた部分の軸方向長さが円周上で異なることになる。このような円筒ころ５が、非負荷域から負荷域に進入する場合に、最も軸方向長さが長い部分から進入すると、軸長の長い円筒ころ５が進入する場合と同様の事態が生じる。また、このような円筒ころ５が負荷域内で自転すると、負荷域内で１つの円筒ころ５の両端面接触部間の軸長が変化することとなるので、荷重集中による過大荷重の発生や振動の原因となる。
【００３９】
精度品ではない円筒ころ軸受には、一般的に等級２〜５（ＪＩＳ  Ｂ  １５０６）の円筒ころが使用されることが多く、この場合の公差は０．００６mm〜０．０１５mmとなる。そこで、図７や図８のような円筒ころ５では、鍔部で挟まれた部分の軸方向長さの変化量は最悪形状の場合、振れ量に相当することとなり、非常に大きなものとなる。このような要因によるスラスト荷重の負荷能力阻害を抑制するためには、この実施形態における円筒ころ軸受では、その円筒ころ５の端面でのテーパー状クラウニング加工部１０の振れを０．００３mm以下とするのが望ましい。とくに、電動機など低振動、低騒音を必要とする応用面での使用の場合には、前記振れを０．００２mm以下のレベルとするのが好ましい。図５に示したように、複数段のテーパー面部１０ａ，１０ｂでテーパー状クラウニング加工部１０が形成される場合には、内径側に最も近いテーパー面部１０ａの振れを０．００３mm以下としても良い。
【００４０】
上記説明では、円筒ころ５の端面におけるテーパー状クラウニング加工部１０の振れについて言及したが、円筒ころ５の端面におけるテーパー状クラウニング加工部１０を除く平坦部１２（例えば図２（Ｂ）参照）においても端面振れは小さくしておく必要がある。円筒ころ５の加工において、テーパー状クラウニング部１０および前記平坦部１２のいずれを先に加工した場合でも、双方の端面振れが大きいと、テーパー状クラウニング加工部１０と平坦部１２の境界が円周上で蛇行したり楕円状になる。このような加工が行なわれた場合、第１に、テーパー状クラウニング加工部１０の径方向幅寸法の確保が難しくなる。第２に、鍔面の傾斜角度θi ，θ1 ，θo に対して、テーパー状クラウニング加工部１０の傾斜角度θr が大きい場合、円筒ころ５の端面における鍔面と接触する部分がテーパー状クラウニング加工部１０と平坦部１２の境界部分となるため、回転時における円滑な接触状態を損なうことになる。このような事態が生じるのを防ぐためには、この実施形態における円筒ころ軸受では、その円筒ころ５の端面での平坦部１２の端面振れを０．００３mm以下（好ましくは０．００２mm以下）とするのが望ましい。
【００４１】
なお、上記実施形態では、内輪軌道輪７、外輪２、鍔輪８、円筒ころ５、保持器６からなる円筒ころ軸受の場合を例示したが、この発明では、鍔面と円筒ころ５の端面との接触状態をテーパー状クラウニング加工部１０やころ端面の振れの適正化によってスラスト荷重の負荷性能を向上させていることから、スラスト荷重は負荷しないが軸たわみによって円筒ころが軸方向の一方に片走りする際にも、接触抵抗を低下させる効果を期待できる。
この発明を適用できる軸受形式としては、内輪に鍔部を有しないＮＵ型を始めとする、内輪片鍔付き，外輪両鍔付き（ＮＪ型）、内輪片鍔，鍔輪組付け，外輪両鍔付き（ＮＵＰ型）、内輪両鍔付き，外輪鍔なし（Ｎ型）、内輪両鍔付き，外輪片鍔つき（ＮＦ型）、内輪両鍔付き，外輪片鍔，鍔輪組付け型（ＮＰ型）等の単列型の円筒ころ軸受や、円筒ころの列数が複数の円筒ころ軸受などが挙げられる。また、保持器の無い総ころ型の円筒ころ軸受にも適用可能である。
【００４２】
前記円筒ころ５の端面におけるテーパー状クラウニング加工部１０の加工方法としては、例えば砥石を接触させて加工する方法が挙げられる。この場合の砥石には、ドレス加工によって予めテーパー状クラウニング加工部１０の外形形状に成形したものを使用する。砥石のドレスは複雑な形状ではなく、単に直線的に成形するものであり、誤差は非常に小さいものである。このため、加工されるテーパー状クラウニング加工部１０の母線形状も大きくばらつくことがない。このような加工方法を採用することにより、テーパー状クラウニング加工部１０の角度管理においては、円筒ころ５の端面の外径側から面取部１１より僅かにテーパー状クラウニング加工部１０に入った位置を測定点とし、この部分における平坦部１２からのドロップ量を管理するのみで十分である。この管理方法であれば、ダイヤルゲージと簡単なころ位置決め装置を用意するだけで、加工と並行して寸法管理を容易に行うことができる。
【００４３】
なお、上記加工において、初期摩耗の抑制などを目的として、最終加工としてタンブラー加工を施すことにより、粗さ向上を図っても良い。このようにタンブラー加工を施すことにより、円筒ころ５の端面におけるテーパー状クラウニング加工部１０と平坦部１２の境界に形成されるエッジ部を除去する効果も期待できる。
【図面の簡単な説明】
【００４４】
【図１】この発明の一実施形態にかかる円筒ころ軸受の断面図である。
【図２】（Ａ）は同円筒ころ軸受に用いられる円筒ころの正面図、（Ｂ）は（Ａ）におけるＢ部の拡大図である。
【図３】（Ａ）は同円筒ころ軸受における外輪鍔部の拡大断面図、（Ｂ）は鍔輪鍔部の拡大断面図、（Ｃ）は内輪鍔部の拡大断面図である。
【図４】同円筒ころ軸受の上昇温度低減効果を従来品と比較した試験結果のグラフである。
【図５】同円筒ころ軸受における円筒ころ端面のテーパー状クラウニング加工部の一例の拡大図である。
【図６】同円筒ころ軸受における非負荷域と負荷域の状態説明図である。
【図７】円筒ころの端面寸法誤差が大きい場合の円筒ころ軸受の一例の説明図である。
【図８】円筒ころの端面寸法誤差が大きい場合の円筒ころ軸受の他の例の説明図である。
【図９】従来例の説明図である。
【符号の説明】
【００４５】
１…内輪
２…外輪
３，４…軌道面
５…円筒ころ
７…内輪軌道輪
７ａ…鍔部
７ａａ…内輪鍔部の内側面（鍔面）
８…鍔輪
８ａ…鍔部
８ａａ…鍔輪鍔部の内側面（鍔面）
９…外輪
９ａ…鍔部
９ａａ…外輪鍔部の内側面（鍔面）
１０…テーパー状クラウニング加工部
１０ａ，１０ｂ…テーパ−面部
１２…平坦部
【図１】
2010007678.tif 000003
【図２】
2010007678.tif 000004
【図３】
2010007678.tif 000005
【図４】
2010007678.tif 000006
【図５】
2010007678.tif 000007
【図６】
2010007678.tif 000008
【図７】
2010007678.tif 000009
【図８】
2010007678.tif 000010
【図９】
2010007678.tif 000011